(57)【要約】【課題】記録領域の再生性能とヘッダ領域のＩＤの読み率を向上することができる光ディスク装置における処理回路を提供する。【解決手段】光ディスク装置の処理回路において、ＡＤ変換器９と、ＡＤ変換器９によって得られた信号からデータ信号とアナログ・デジタル変換のサンプリングクロックを同期させるＰＬＬ回路１０と、ＡＤ変換器９によって得られた信号の波形を等化させる波形等化回路１１と、波形等化回路１１で波形を等化した信号の直流成分を除去する第１の直流除去回路１３ａと、波形等化回路１１で波形を等化した信号の直流成分を除去する第２の直流除去回路１３ｂと、切替信号に基づいて、第１の直流除去回路１３ａの出力信号と第２の直流除去回路１３ｂの出力信号を切り替えて出力するスイッチｂ１２ｂと、スイッチｂ１２ｂの出力信号を最尤復号する最尤復号回路１５とを備えた。【選択図】図１
2008059713.tif 000002
【特許請求の範囲】
【請求項１】
ディスクにレーザ光線の焦点を合わせるための光学ピックアップを具備し、光学的にディスクの再生または記録再生を行う光ディスク装置の処理回路であって、
前記ディスクから再生したアナログ入力信号を所定のクロックでアナログ・デジタル変換するアナログ・デジタル変換器と、
前記アナログ・デジタル変換器でアナログ・デジタル変換された信号の直流成分を、第１の時定数を用いて除去する第１の直流除去回路と、
前記アナログ・デジタル変換器でアナログ・デジタル変換された信号の直流成分を、第２の時定数を用いて除去する第２の直流除去回路と、
前記ディスクの構造に対応した切替信号に基づいて、前記第１の直流除去回路の出力信号と前記第２の直流除去回路の出力信号を切り替えて出力する第１のスイッチと、
前記第１のスイッチの出力信号を復調する復調回路とを備えたことを特徴とする光ディスク装置の処理回路。
【請求項２】
ディスクにレーザ光線の焦点を合わせるための光学ピックアップを具備し、光学的にディスクの再生または記録再生を行う光ディスク装置の処理回路であって、
前記ディスクから再生したアナログ入力信号を所定のクロックでアナログ・デジタル変換するアナログ・デジタル変換器と、
前記アナログ・デジタル変換器でアナログ・デジタル変換された信号の波形を等化させる波形等化回路と、
前記波形等化回路で波形が等化された信号の直流成分を、第１の時定数を用いて除去する第１の直流除去回路と、
前記波形等化回路で波形が等化された信号の直流成分を、第２の時定数を用いて除去する第２の直流除去回路と、
前記ディスクの構造に対応した切替信号に基づいて、前記第１の直流除去回路の出力信号と前記第２の直流除去回路の出力信号を切り替えて出力する第１のスイッチと、
前記第１のスイッチの出力信号を復調する復調回路とを備えたことを特徴とする光ディスク装置の処理回路。
【請求項３】
請求項２記載の光ディスク装置の処理回路において、
前記第１のスイッチの出力信号を最尤復号して、前記復調回路に出力する最尤復号回路を備えたことを特徴とする光ディスク装置の処理回路。
【請求項４】
請求項３記載の光ディスク装置の処理回路において、
前記ディスクの再生状態に対応したＯＮ／ＯＦＦ信号に基づいて、前記波形等化回路の出力信号と前記第１のスイッチの出力信号を切り替えて出力する第２のスイッチを備え、
前記最尤復号回路は、前記第２のスイッチの出力信号を最尤復号して、前記復調回路に出力することを特徴とする光ディスク装置の処理回路。
【請求項５】
ディスクにレーザ光線の焦点を合わせるための光学ピックアップを具備し、光学的にディスクの再生または記録再生を行う光ディスク装置の信号処理方法であって、
前記ディスクから再生したアナログ入力信号を所定のクロックでアナログ・デジタル変換し、前記アナログ・デジタル変換された信号の直流成分を、前記ディスクの構造に対応した切替信号に基づいて、第１の時定数または第２の時定数を用いて除去し、前記直流分が除去された信号を復調することを特徴とする光ディスク装置の信号処理方法。
【発明の詳細な説明】
【技術分野】
【０００１】
本発明は、ディスクより光学的に信号を再生または記録再生する光ディスク装置の処理回路に関し、特に、再生性能やＩＤの取得率を向上させる信号処理方法に適用して有効な技術に関する。
【背景技術】
【０００２】
従来、光ディスク装置の処理回路として、特開２００５−１９０６１８号公報（特許文献１）に記載の技術があった。これは、ディスクから再生された信号を利用し、再生信号処理系からアシンメトリの割合を検出することにより、信号処理の最適化を量り、適応等化処理と最尤復号化方式を用いた場合でも、容易にアシンメトリの割合を推測することが可能となり、アシンメトリの大きなディスクを再生できるようにしたものである。
【特許文献１】特開２００５−１９０６１８号公報
【発明の開示】
【発明が解決しようとする課題】
【０００３】
しかしながら、特許文献１に記載の技術では、ＰＬＬの位相誤差積算出力と位相誤差閾値の関係や適応等化誤差積算出力と等化誤差閾値との関係により、中心レベルからの変動分割合（アシンメトリ）を判断して、サンプリングタイミングが読み出し信号の中心レベルからの変動をなくすようにしているため、一定の期間媒体上の記録情報を読み出す必要がある。
【０００４】
例えば、図６に示すＤＶＤ−ＲＡＭディスク５０の場合では、以下に述べる課題があった。
【０００５】
図６に示すＤＶＤ−ＲＡＭディスク５０には相変化記録膜からなる記録領域（Ｒｅｃｏｒｄｉｎｇ  ｆｉｅｌｄ）と物理的ＩＤが埋め込まれている（プリフォーマットされている）エンボスピットからなるヘッダ領域（Ｈｅａｄｅｒ  ｆｉｅｌｄ）とミラー領域（Ｍｉｒｒ  ｆｉｅｌｄ）が混在する。
【０００６】
さらに、このヘッダ領域ではランド（Ｌａｎｄ）とグルーブ（Ｇｒｏｏｖｅ）と呼ばれる両方の領域にアドレスを与えるためにエンボスピットの位置をトラック方向にわずかにずらして配置されている。
【０００７】
図６に示したフォーマットのようにＤＶＤ−ＲＡＭでは１セクタが２６９７バイトに対し記録領域は２５６７バイトでヘッダ領域は１２８バイト、ＭＩＲＲ領域は２バイトである。これからもわかるように記録領域に対しヘッダ領域が２０分の１程度短い。
【０００８】
このような媒体の再生ではそれぞれの領域の影響をうけて、特に領域が短いヘッダ領域での中心レベルからの変動分を除去できないという課題があった。また短いヘッダ領域の変動分を検出するために適応等化手段の追従速度を速めると記録領域では突発的な変動分も検出してしまい正しく中心レベルからの変動分割合を判断することができないという課題があった。
【０００９】
本発明は、ＤＶＤ−ＲＡＭディスク等を再生する際に記録領域とヘッダ領域用のそれぞれ独立した読み出し信号の中心レベルからの変動分（直流成分）を検出できる時定数によって直流成分を除去する回路を用いることにより、それぞれの領域の影響をうけることなく、読み出し信号の中心レベルからの変動分（直流成分）を除去でき記録領域の再生性能とヘッダ領域のＩＤの読み率を向上することができる光ディスク装置における処理回路を提供することを目的とする。
【課題を解決するための手段】
【００１０】
本願において開示される発明のうち、代表的なものの概要を簡単に説明すれば、次のとおりである。
【００１１】
本発明による光ディスク装置の処理回路は、ディスクにレーザ光線の焦点を合わせるための光学ピックアップを具備し、光学的にディスクの再生または記録再生を行う光ディスク装置の処理回路であって、ディスクから再生したアナログ入力信号を所定のクロックでアナログ・デジタル変換するアナログ・デジタル変換器と、アナログ・デジタル変換器でアナログ・デジタル変換された信号の直流成分を、第１の時定数を用いて除去する第１の直流除去回路と、アナログ・デジタル変換器でアナログ・デジタル変換された信号の直流成分を、第２の時定数を用いて除去する第２の直流除去回路と、ディスクの構造に対応した切替信号に基づいて、第１の直流除去回路の出力信号と第２の直流除去回路の出力信号を切り替えて出力する第１のスイッチと、第１のスイッチの出力信号を復調する復調回路とを備えたものである。
【００１２】
また、本発明による光ディスク装置の処理回路は、ディスクにレーザ光線の焦点を合わせるための光学ピックアップを具備し、光学的にディスクの再生または記録再生を行う光ディスク装置の処理回路であって、ディスクから再生したアナログ入力信号を所定のクロックでアナログ・デジタル変換するアナログ・デジタル変換器と、アナログ・デジタル変換器でアナログ・デジタル変換された信号の波形を等化させる波形等化回路と、波形等化回路で波形が等化された信号の直流成分を、第１の時定数を用いて除去する第１の直流除去回路と、波形等化回路で波形が等化された信号の直流成分を、第２の時定数を用いて除去する第２の直流除去回路と、ディスクの構造に対応した切替信号に基づいて、第１の直流除去回路の出力信号と第２の直流除去回路の出力信号を切り替えて出力する第１のスイッチと、第１のスイッチの出力信号を復調する復調回路とを備えたものである。
【００１３】
また、光ディスク装置の信号処理方法は、ディスクにレーザ光線の焦点を合わせるための光学ピックアップを具備し、光学的にディスクの再生または記録再生を行う光ディスク装置の信号処理方法であって、ディスクから再生したアナログ入力信号を所定のクロックでアナログ・デジタル変換し、アナログ・デジタル変換された信号の直流成分を、ディスクの構造に対応した切替信号に基づいて、第１の時定数または第２の時定数を用いて除去し、直流分が除去された信号を復調するものである。
【発明の効果】
【００１４】
本願において開示される発明のうち、代表的なものによって得られる効果を簡単に説明すれば以下のとおりである。
【００１５】
本発明によれば、ＤＶＤ−ＲＡＭディスクのように記録領域とヘッダ領域というように媒体上に複数の特性の異なる領域が存在する場合でも、再生信号の直流成分をそれぞれの領域で除去することができ、再生性能やＩＤの取得率を向上させることができる。
【発明を実施するための最良の形態】
【００１６】
以下、本発明の実施の形態を図面に基づいて詳細に説明する。なお、実施の形態を説明するための全図において、同一の部材には原則として同一の符号を付し、その繰り返しの説明は省略する。
【００１７】
図１により、本発明の一実施の形態に係る光ディスク装置の処理回路の構成について説明する。図１は本発明の一実施の形態に係る光ディスク装置の処理回路の構成を示すブロック図であり、光ディスク装置の処理回路を含む光ディスク装置の全体構成を示している。
【００１８】
図１において、光ディスク装置の処理回路は、信号処理回路７、サーボ回路８、アナログ・デジタル（ＡＤ）変換器９、位相同期回路（Ｐｈａｓｅ−ｌｏｃｋｅｄ  ｌｏｏｐ回路、以下ＰＬＬ回路と呼ぶ）１０、波形等化回路１１、スイッチａ１２ａ、スイッチｂ１２ｂ、スイッチｃ１２ｃ、第１の直流除去回路１３ａ、第２の直流除去回路１３ｂ、第１、第２の直流除去回路１３ａ、１３ｂに設定される第１の時定数１４ａ、第２の時定数１４ｂ、最尤復号回路１５、復調・誤り訂正回路１６から構成されている。
【００１９】
また、光ディスク装置としては、ディスク１、クランパ２ａ、ターンテーブル２ｂ、対物レンズ３、ピックアップ４、スレッドモータ５、スピンドルモータ６を有し、ディスク１上の情報を読み取る構成になっている。
【００２０】
以下、本発明の一実施の形態に係る光ディスク装置の処理回路を含む光ディスク装置の全体動作について説明する。
【００２１】
まず、ターンテーブル２ｂ上にセットされたディスク１はクランパ２ａで、ターンテーブル２ｂに固定される。スピンドルモータ６が回転することでディスクは回転する。
【００２２】
ピックアップ４からディスク１にレーザ光を照射してディスク１で反射された光を検出した信号から信号処理回路７で対物レンズ３がフォーカス方向（ディスクに垂直方向）、トラッキング方向（ディスクに平行方向）に移動している位置情報信号を生成し、この信号をサーボ回路８に供給する。
【００２３】
サーボ回路８において遅れ補償器や進み補償器などを用いてフィードバック制御を行い対物レンズ３をフォーカス方向（ディスクに垂直方向）、トラッキング方向（ディスクに平行方向）に動かす制御信号を生成する。この制御信号により対物レンズ３はディスクに垂直方向に制御され、フィードバックループのフォーカス制御を実現し常に合焦点にいる状態を保つ。
【００２４】
また、この制御信号により対物レンズ３はトラッキング方向にも制御され、フィードバックループのトラッキング制御を実現し常にディスク１の記録面におけるピット上にいるオントラック状態を保つ。
【００２５】
また、サーボ回路８では前述のトラッキング制御の状態から遅れ補償器や進み補償器などを用いてフィードバック制御を行い、対物レンズ３のトラッキング方向へのずれに応じてスレッドモータ５を制御する制御信号を生成しスレッドモータ５を動作させピックアップ４自体を移動させる。
【００２６】
また、信号処理回路７ではディスク１から読み取った回転周期情報などを用いてフィードバック制御を行い、この回転周期情報に基づいてサーボ回路８においてスピンドルモータ６を制御する信号を生成しスピンドルモータ６を動作させる。
【００２７】
以上が、定常時に於いて対物レンズ３が合焦点上でさらにオントラック位置にあってフォーカス、トラッキング、スピンドルとスレッドが制御された再生の状態である。
【００２８】
このとき、ピックアップ４ではディスク１にレーザ光を照射して、その反射光量あるいは偏向を検出しディスク１上の情報を読み出す。ピックアップ４により読み出された再生信号は信号処理回路７に供給する。
【００２９】
信号処理回路７では供給された再生信号の振幅レベルや周波数特性などを調整し出力する。この調整された再生信号をＡＤ変換器９に供給し、ＡＤ変換器９においてアナログ信号からデジタル信号に変換する。
【００３０】
デジタル変換した再生信号はＰＬＬ回路１０に供給され、このＰＬＬ回路１０において生成する再生クロックの位相を入力される再生信号に同期させる。
【００３１】
ここで、図２により、ＰＬＬ回路１０の一例について説明する。図２は本発明の一実施の形態に係る光ディスク装置の処理回路のＰＬＬ回路の構成を示すブロック図である。
【００３２】
図２において、ＰＬＬ回路１０は、位相誤差検出回路２０、ループフィルタ２１、電圧制御発振器（Ｖｏｌｔａｇｅ  Ｃｏｎｔｒｏｌｌｅｄ  Ｏｓｃｉｌｌａｔｏｒ、以下ＶＣＯと呼ぶ）２２から構成されている。
【００３３】
位相誤差検出回路２０では、入力される再生信号とＶＣＯ２２で生成する再生クロックとの位相誤差を検出しループフィルタにその位相誤差を供給する。ループフィルタ２１では入力した位相誤差信号の利得を調整する。ループフィルタ２１で利得を調整した位相誤差信号をＶＣＯ２２に供給する。
【００３４】
ＶＣＯ２２では位相誤差信号の値に応じたクロックを発振して、再生クロックとして生成する。以上の構成により再生クロックの位相を入力される再生信号に同期させることができる。
【００３５】
他方、ＡＤ変換器９でデジタル変換した再生信号は波形等化回路１１に供給され、この波形等化回路１１において振幅レベルや周波数特性を調整し再生信号の波形を等化する。
【００３６】
この波形を等化した信号はスイッチａ１２ａに供給される。スイッチａ１２ａに供給された信号は第１の直流除去回路１３ａと第２の直流除去回路１３ｂに供給する。
【００３７】
この第１の直流除去回路１３ａと第２の直流除去回路１３ｂでは供給された波形を等化した信号の直流成分を除去する。第１の直流除去回路１３ａと第２の直流除去回路１３ｂで直流成分を除去した信号はそれぞれスイッチｂ１２ｂに供給される。
【００３８】
スイッチｂ１２ｂに供給された第１の直流除去回路１３ａで直流成分を除去した信号と第２の直流除去回路１３ｂで直流成分を除去した信号は切替信号によりどちらかが選択されて出力される。
【００３９】
この切り替え信号は、例えば、光ディスク装置において、再生信号の記録領域およびヘッダの信号処理を行うための制御信号を切替信号として用いている。
【００４０】
スイッチｂ１２ｂから出力した信号はスイッチｃ１２ｃに供給する。スイッチｃ１２ｃに供給された波形等化回路１１からの出力とスイッチｂ１２ｂから出力した信号はＯＮ／ＯＦＦ信号によりどちらかが選択されて出力される。
【００４１】
このＯＮ／ＯＦＦ信号は、例えば、光ディスク装置において、再生信号の安定度などにより、処理を切り替えるための信号をＯＮ／ＯＦＦ信号として用いている。
【００４２】
スイッチｃ１２ｃから出力した信号は最尤復号回路１５に供給され、この最尤復号回路１５により再生信号は復号される。この復号された再生信号は復調・誤り訂正回路１６に供給され、この復調・誤り訂正回路１６では再生信号の復調と誤り訂正処理が行われる。
【００４３】
ここで、図３により、第１の直流除去回路１３ａと第２の直流除去回路１３ｂの一例について説明する。図３は本発明の一実施の形態に係る光ディスク装置の処理回路の直流除去回路の構成を示すブロック図である。
【００４４】
図３において、直流除去回路１３ａ、１３ｂは、それぞれ、ゼロクロス検出回路３０、減算器３１ａ、３１ｂ、乗算器３２ａ、３２ｂ、加算器３３、遅延レジスタ３４から構成されている。
【００４５】
以下、直流除去回路１３ａ、１３ｂの動作を説明する。
【００４６】
まず、波形等化回路１１から出力される再生信号はゼロクロス検出回路３０に入力される。このゼロクロス検出回路３０では波形等化回路１１から出力される信号があるスライスレベルをまたぐ状態とそのときの再生クロックとの位相の差を前記信号波形の振幅情報として検出する。
【００４７】
この状態を図４により説明する。図４は本発明の一実施の形態に係る光ディスク装置の処理回路の直流除去回路の検出状態を説明するための説明図である。図４には入力される再生信号とＰＬＬ回路１０で生成する再生クロックを示してある。
【００４８】
図４において、（Ａ）の場合は再生信号のスライスレベルをまたぐ点と再生クロックの位相の差がない状態、つまりは、再生信号に直流成分がない状態で、（Ｂ）の場合は再生信号のスライスレベルをまたぐ点と再生クロックの位相の差があり、つまりは、再生信号に直流成分が残っている状態である。
【００４９】
ゼロクロス検出回路３０で検出された直流成分の信号は減算器３１ａに入力される。
【００５０】
他方、遅延レジスタ３４からの出力信号が減算器３１ａに入力される。
【００５１】
減算器３１ａではゼロクロス検出回路３０の出力値から、遅延レジスタ３４の出力値を減算した結果を乗算器３２ａに供給する。乗算器３２ａには、あらかじめ時定数１４ａまたは時定数１４ｂによる時定数が設定されていて、この時定数と減算器３１ａからの出力値を乗算した結果を加算器３３に供給する。
【００５２】
他方、乗算器３２ｂからの出力を加算器３３に供給する。加算器３３では乗算器３２ａの出力と乗算器３２ｂの出力とを加算して遅延レジスタ３４に供給する。
【００５３】
遅延レジスタ３４に供給された加算器３３の出力は、ゼロクロス検出回路３０で次に波形等化回路１１から出力される再生信号があるスライスレベルをまたぐ状態と、そのときの再生クロックとの位相の差を前記再生信号波形の振幅情報として検出するまで加算器３３の出力を保持する。
【００５４】
遅延レジスタ３４の出力を乗算器３２ｂに供給する。この乗算器３２ｂにはあらかじめ時定数１４ａまたは時定数１４ｂによる時定数が設定されていて、この時定数と遅延レジスタ３４からの出力値を乗算した結果を加算器３３に供給する。
【００５５】
乗算器３２ａと加算器３３、遅延レジスタ３４、乗算器３２ｂとによりデジタルフィルタを構成し、乗算器３２ａと乗算器３２ｂに設定する時定数により低域通過フィルタ（ローパスフィルタ）を実現する。
【００５６】
ゼロクロス検出回路３０で検出した直流成分を低域通過フィルタに通すことで広域のノイズ成分や突発的な直流成分は検出せずに定常的な直流成分だけを検出することができる。
【００５７】
この検出された定常的な直流成分が遅延レジスタ３４の出力であり、この出力は減算器３１ｂに供給される。他方入力される再生信号を減算器３１ｂに供給する。
【００５８】
遅延レジスタ３４からの出力と入力される再生信号を供給された減算器３１ｂでは、入力される再生信号から遅延レジスタ３４からの出力を減算し出力する。
【００５９】
この出力信号は入力信号から定常的に直流成分が減算された信号、つまりは入力される再生信号から定常的な直流成分が除去された再生信号となる。
【００６０】
ここで、図５により、ＤＶＤ−ＲＡＭディスクを再生する際のスイッチａ１２ａ、スイッチｂ１２ｂ、スイッチｃ１２ｃの動作について説明する。図５は本発明の一実施の形態に係る光ディスク装置の処理回路の各スイッチの動作を説明するための説明図である。
【００６１】
前述した図６に示したように、ＤＶＤ−ＲＡＭディスクには記録領域（Ｒｅｃｏｒｄｉｎｇ  ｆｉｅｌｄ）と物理的ＩＤが埋め込まれているヘッダ領域（Ｈｅａｄｅｒ  ｆｉｅｌｄ）が存在する。
【００６２】
このとき切替信号が、例えば、ヘッダ領域では“ＨＩＧＨ”、記録領域では“ＬＯＷ”となるように制御されたとき、スイッチａ１２ａは切替信号が“ＨＩＧＨ”のときＡ側になり“ＬＯＷ”のときＢ側に切り替わる。
【００６３】
また、スイッチｂ１２ｂは切替信号が“ＨＩＧＨ”のときＣ側になり“ＬＯＷ”のときＤ側に切り替わる。
【００６４】
要は切替信号が“ＨＩＧＨ”のとき第１の直流除去回路１３ａが動作し、切替信号が“ＬＯＷ”のとき第２の直流除去回路１３ｂが動作するようになる。
【００６５】
このとき第１の直流除去回路１３ａにはヘッダ領域用に短い時間で直流成分が除去できるように第１の時定数１４ａの値は時定数が小さくなるような値を設定し短期間で直流成分が除去できるようにする。
【００６６】
また、第２の直流除去回路１３ｂには記録領域用に長い時間で直流成分が除去できるように第２の時定数１４ｂの値は大きくなるような値を設定し定常的な直流成分が除去できるようにする。
【００６７】
これにより、ヘッダ領域と記録領域で時定数特性の違う直流除去を行うことができる。
【００６８】
さらに、この直流除去回路を用いないで波形等化回路１１の出力で復号処理を行いたい場合のために、ＯＮ／ＯＦＦ信号をＯＦＦ（“ＬＯＷ”）にするとスイッチｃ１２ｃはＦ側になり波形等化回路１１の出力がスイッチｃ１２ｃを経由して最尤復号回路１５に供給される。
【００６９】
ＯＮ／ＯＦＦ信号をＯＮ（“ＨＩＧＨ”）にするとスイッチｃ１２ｃはＥ側になり第１の直流除去回路１３ａもしくは第２の直流除去回路１３ｂのどちらかの出力が選択されたスイッチｂ１２ｂの出力がスイッチｃ１２ｃを経由して最尤復号回路１５に供給される。
【００７０】
以上説明したように、本実施の形態によれば、ＤＶＤ−ＲＡＭディスクのように記録領域とヘッダ領域というように媒体上に複数の特性の異なる領域が存在する光ディスクを再生する場合においても、それぞれの領域で別々の時定数をもった直流除去回路を動作させることで再生信号の直流成分を除去することができ、再生性能やＩＤの取得率を向上させることが可能となる。
【００７１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７２】
例えば、本実施の形態では、波形等化回路１１および最尤復号回路１５を使用した構成で説明したが、波形等化回路１１および最尤復号回路１５を使用せずに、第１の直流除去回路１３ａ、第２の直流除去回路１３ｂだけの構成にすることも可能である。
【産業上の利用可能性】
【００７３】
本発明は、ディスクより光学的に信号を再生または記録再生する光ディスク装置の処理回路に関し、ＤＶＤ−ＲＡＭディスクのように記録領域とヘッダ領域というように媒体上に複数の特性の異なる領域が存在する光ディスクを再生するための処理装置に適用可能である。
【図面の簡単な説明】
【００７４】
【図１】本発明の一実施の形態に係る光ディスク装置の処理回路の構成を示すブロック図である。
【図２】本発明の一実施の形態に係る光ディスク装置の処理回路を含む光ディスク装置のＰＬＬ回路の構成を示すブロック図である。
【図３】本発明の一実施の形態に係る光ディスク装置の処理回路の直流除去回路の構成を示すブロック図である。
【図４】本発明の一実施の形態に係る光ディスク装置の処理回路の直流除去回路の検出状態を説明するための説明図である。
【図５】本発明の一実施の形態に係る光ディスク装置の処理回路の各スイッチの動作を説明するための説明図である。
【図６】本発明の一実施の形態に係る光ディスク装置の処理回路で扱うＤＶＤ−ＲＡＭの構成を説明するための説明図である。
【符号の説明】
【００７５】
１…ディスク、２ａ…クランパ、２ｂ…ターンテーブル、３…対物レンズ、４…ピックアップ、５…スレッドモータ、６…スピンドルモータ、７…信号処理回路、８…サーボ回路、９…ＡＤ変換器、１０…位相同期回路（ＰＬＬ回路）、１１…波形等化回路、１２ａ…スイッチａ、１２ｂ…スイッチｂ、１２ｃ…スイッチｃ、１３ａ…第１の直流除去回路、１３ｂ…第２の直流除去回路、１４ａ…第１の時定数、１４ｂ…第２の時定数、１５…最尤復号回路、１６…復調・誤り訂正回路（復調回路）、２０…位相誤差検出回路、２１…ループフィルタ、２２…電圧制御発振器（ＶＣＯ）、３０…ゼロクロス検出回路、３１ａ、３１ｂ…減算器、３２ａ、３２ｂ…乗算器、３３…加算器、３４…遅延レジスタ、５０…ＤＶＤ−ＲＡＭディスク。
【図１】
2008059713.tif 000003
【図２】
2008059713.tif 000004
【図３】
2008059713.tif 000005
【図４】
2008059713.tif 000006
【図５】
2008059713.tif 000007
【図６】
2008059713.tif 000008